(57)【要約】【課題】簡単な構造で、温室に適した温度の温水を保管して循環することができる温室用の定温水保管装置を提供する。【解決手段】バイメタル１０の作用により、保温容器６内の温水７の温度が所定の温度より高くなりそうな場合には、保温容器６が加熱容器１から離反するため、保温容器６内の温水７は常に最適の温度が保たれる。従って、保温容器６内の温水７を直接温室９に循環することができる。バイメタル１０を利用した簡単な構造で、装置が大掛かりにならない。【選択図】図１
2010166889.tif 000002
【特許請求の範囲】
【請求項１】
加熱可能で固定された加熱容器内に熱媒体を入れ、加熱容器に隣接した保温容器内に水を入れて底面をベース面に立設した板状のバイメタルで支持し、加熱容器と保温容器の接触時に加熱容器内の熱媒体の熱が保温容器内の水に伝達されて温水となる温室用の定温水保管装置であって、
前記バイメタルは保温容器内の水の温度が所定温度以上で保温容器が加熱容器から離反するように変形することを特徴とする温室用の定温水保管装置。
【請求項２】
熱媒体が食用廃油であることを特徴とする請求項１記載の温室用の定温水保管装置。
【請求項３】
加熱容器の一部に加熱部があり、該加熱部が反射ミラーにより集光した太陽光線で加熱されることを特徴とする請求項１又は請求項２記載の温室用の定温水保管装置。
【発明の詳細な説明】
【技術分野】
【０００１】
本発明は温室用の定温水保管装置に関するものである。
【背景技術】
【０００２】
従来より、太陽熱温水器で温水をつくり、その温水を蓄熱槽に蓄え、蓄熱槽から必要に応じて温水を温室内に循環して温室内を一定温度に保温する技術が知られている。温水を蓄熱槽にいったん蓄えるのは、太陽熱温水器からの温水は熱すぎて、そのまま温室に循環できないからである（例えば、特許文献１参照）。
【先行技術文献】
【特許文献】
【０００３】
【特許文献１】特開平１１−２３５１３０号公報
【発明の概要】
【発明が解決しようとする課題】
【０００４】
しかしながら、このような従来の技術にあっては、太陽熱温水器でつくった温水を蓄える蓄熱槽が必要になるため、装置が大掛かりになっていた。
【０００５】
本発明は、このような従来の技術に着目してなされたものであり、簡単な構造で、温室に適した温度の温水を保管して循環することができる温室用の定温水保管装置を提供するものである。
【課題を解決するための手段】
【０００６】
請求項１記載の発明は、加熱可能で固定された加熱容器内に熱媒体を入れ、加熱容器に隣接した保温容器内に水を入れて底面をベース面に立設した板状のバイメタルで支持し、加熱容器と保温容器の接触時に加熱容器内の熱媒体の熱が保温容器内の水に伝達されて温水となる温室用の定温水保管装置であって、前記バイメタルは保温容器内の水の温度が所定温度以上で保温容器が加熱容器から離反するように変形することを特徴とする。
【０００７】
請求項２記載の発明は、熱媒体が食用廃油であることを特徴とする。
【０００８】
請求項３記載の発明は、加熱容器の一部に加熱部があり、該加熱部が反射ミラーにより集光した太陽光線で加熱されることを特徴とする。
【発明の効果】
【０００９】
請求項１記載の発明によれば、バイメタルの作用により、保温容器内の温水の温度が所定の温度より高くなりそうな場合には、保温容器が加熱容器から離反するため、保温容器内の温水は常に最適の温度が保たれる。従って、保温容器内の温水を直接温室に循環することができる。バイメタルを利用した簡単な構造で、装置が大掛かりにならない。
【００１０】
請求項２記載の発明によれば、熱媒体として食用廃油を利用するため、環境に良い。
【００１１】
請求項３記載の発明によれば、オイルを反射ミラーにより集光した太陽光線で加熱するため、環境に良い。
【図面の簡単な説明】
【００１２】
【図１】反射ミラーより加熱容器を加熱している状態を示す全体説明図。
【図２】加熱容器及び保温容器を示す斜視図。
【図３】加熱容器及び保温容器を示す断面図。
【図４】保温容器が離反した状態を示す図３相当の断面図。
【発明を実施するための形態】
【００１３】
本発明の好適な実施形態を図１〜図４に基づいて説明する。尚、この実施形態では、比較的小型の温室に適用した例を示している。
【００１４】
加熱容器１はステンレス製の角形容器で、長さ５０ｃｍ、幅４０ｃｍ、高さ４０ｃｍのサイズを有している。加熱容器１の内部には熱媒体２としての食用廃油が入っている。加熱容器１の周囲は断熱レンガ材３により囲まれている。加熱容器１はベース面１１に形成された台の上に載置された状態で固定されている。
【００１５】
加熱容器１の一面には加熱部４が設けられている。加熱部４は断熱レンガ材３が省略されて露出しており、反射ミラー５で集光された太陽光Ｌが照射される。加熱部４は熱吸収率の高い材質で構成するのが望ましい。或いは、少なくとも太陽光Ｌの照射面にそのような材質の部材を設けても良い。反射ミラー５は太陽の動きに連動して向きが変化し、太陽光Ｌが常に加熱部４へ集光するようにされている。
【００１６】
このような加熱容器１に隣接して保温容器６が設けられている。保温容器６もステンレス製の角形容器である。保温容器６のサイズは加熱容器１と同様である。内部には水７が入れられている。保温容器６と前記加熱容器１には上部に図示せぬ蓋が設けられている。
【００１７】
保温容器６の上部には出口６ａが形成され、下部には入口６ｂが形成されている。出口６ａ及び入口６ｂには、温室９内の土中に埋設されたパイプ８が接続され、このパイプ８を介して、保温容器６内の水を温室９内に循環することができる。
【００１８】
保温容器６の底面は２枚の板状のバイメタル１０により支持されている。このバイメタル１０は、銅１０ａとステンレス１０ｂを接合した構造である。サイズは幅４０ｃｍ、高さ４０ｃｍ、厚さ１２ｍｍ（銅１０ａとステンレス１０ｂが各６ｍｍ）である。保温容器６とベース面１１にはそれぞれ凹部１２、１３が形成され、そこにバイメタル１０の上下端を差し込んだ状態で接続している。バイメタル１０の厚さが１２ｍｍで剛性が高いため、保温容器６を倒伏させることなく安定に支持することができる。
【００１９】
バイメタル１０は、熱膨張率の大きい銅１０ａが加熱容器１側に位置し、銅１０ａよりも熱膨張率の小さいステンレス１０ｂが加熱容器１とは反対側に位置した状態で接合されている。バイメタル１０の上端が保温容器６の底面の凹部１２内に差し込まれた状態で固定されているため、保温容器６の温度は直接バイメタル１０に伝達される。保温容器６が加熱されない状態では、バイメタル１０は平板状で、保温容器６の側面は加熱容器１の側面に密着した状態となっている。
【００２０】
日中において、反射ミラー５で集光した太陽光Ｌが加熱容器１の加熱部４に当たると、加熱部４が高温になり、加熱容器１内の熱媒体２の温度が上昇する。加熱容器１の内の熱媒体が高温になると、その熱が加熱容器１に密着している保温容器６に伝わる。
【００２１】
そして、保温容器６内の水７も温度上昇する。保温容器６の水７の温度が上昇して、保温容器６が所定の温度になると、保温容器６に接続しているバイメタル１０の温度も上がって、バイメタル１０が加熱容器１から離反する方向へ反った状態になる。この反り変形は、予め保温容器６内の水７の温度が３０°Ｃに達した時に変形するように設定されている。
【００２２】
保温容器６内の３０°Ｃの水７は温室９内に循環され、温室９内を保温する。温められ水７を温室９に循環すると、水７の温度が下がってくる。水７の温度が下がると、バイメタル１０の温度も下がり、バイメタル１０が元の状態に戻る。バイメタル１０が元の状態に戻ると、保温容器６が加熱容器１に再び接して、保温容器６内の水７の温度が上昇する。これを繰り返すことにより、保温容器６の水７の温度は約３０°Ｃに保たれる。
【００２３】
大掛かりな蓄熱槽を用いることなく、温室９に循環する水７の温度を一定に保つことができる。尚、循環する水７の温度を３０°Ｃに設定したが、別の特性
を有するバイメタルに変えることにより、設定温度を変えることができる。
【００２４】
また、保温容器６を更に安定に支持するための支持機構（図示せず）を設けても良い。支持機構は、例えば、保温容器６を下方或いは両側面から付勢するバネ等の弾性部材や、保温容器６の側面等に設けられ、バイメタル１０が反る方向に保温容器６を移動可能に支持する車輪等の軸受部材などが挙げられる。このような支持部材の設置によって、水７の温度変化に対する保温容器６の移動量が変化する場合には、バイメタル１０の上記寸法を適宜変更しても良い。
【００２５】
さらにまた、加熱容器１と保温容器６の接触面は例えば銅等の熱伝導率の良い金属を用いても良い。
【符号の説明】
【００２６】
１  加熱容器
２  熱媒体
５  反射ミラー
６  保温容器
７  水
９  温室
１０  バイメタル
【図１】
2010166889.tif 000003
【図２】
2010166889.tif 000004
【図３】
2010166889.tif 000005
【図４】
2010166889.tif 000006